(57)【要約】【課題】防犯カメラを付き屋外用照明器具は、照明用ＬＥＤの発光の多くがカメラ部の撮像素子（ＣＭＯＳ）に入射すれば撮影映像のハレーションが生じる。また、照明用ＬＥＤの発光熱と画像処理回路等の発熱を良好に放熱することも求められる。またカメラの動作状態の表示用ＬＥＤが照明用ＬＥＤの発光によって視認し難くなる。本発明はこのような点に鑑み、放熱、ハレーション、インジケータの良好な目視、外部記憶媒体の取り出し等の課題を解決する技術を提供する。【解決手段】器具本体内の放熱板に照明用ＬＥＤとその後方にカメラ部のレンズ部を含む本体部を設け、器具本体の下側開口を塞ぐ本体カバーに形成した透過孔に照明用ＬＥＤの発光光が透過する下方膨出形状のＬＥＤ透光カバーを設け、本体カバーを通過してレンズ部が突出し、照明用ＬＥＤと受像部の間にインジケータＬＥＤを配置し、照明用ＬＥＤとインジケータＬＥＤの間に遮光壁を配置し、放熱板の後方に外部記憶媒体を取り出し可能に配置する。【選択図】図３
2020140945.tif 000002
【特許請求の範囲】
【請求項１】
照明部とカメラ部からなり、
前記照明部は、
下側に開口する内部空間を有し後部に支柱等への取り付け部を備えた熱伝導良好な不透光性の器具本体と、前記開口を覆うように前記器具本体に取り付けられた不透光性の本体カバーとからなる本体部と、
前記器具本体に伝熱的に取り付けられ発光部取り付け部を前側に備え前記発光部取り付け部よりも前記器具本体側に位置するカメラ部取り付け部を後側に備える放熱板と、
下側面に複数の照明用ＬＥＤが取り付けられ前記発光部取り付け部の下側面に取り付けられたＬＥＤ取り付け回路基板と、前記照明用ＬＥＤの個々に対応する配光レンズ部を有する配光ユニットと、を備える発光部と、
前記本体カバーに形成され前記ＬＥＤの発光光が通過する透過孔と、
前記透過孔を塞ぐ形状のＬＥＤ透光カバーと、
を備え、
前記カメラ部は、
前記本体部内に取り付けられ受像部を通して撮影した画像を処理し記録する機能を備え、
前記カメラ部取り付け部に取り付けられるカメラ本体部と、
前記カメラ本体部に取り付けられ前記本体カバーの下方へ突出し前記受像部のレンズが覆われた透光性ドームカバーと、
を備える、
ことを特徴とする防犯カメラ付き屋外用照明器具。
【請求項２】
照明部とカメラ部からなり、
前記照明部は、
下側に開口する内部空間を有し後部に支柱等への取り付け部を備えた熱伝導良好な不透光性の器具本体と、前記開口を覆うように前記器具本体に取り付けられた不透光性の本体カバーとからなる本体部と、
前記器具本体に伝熱的に取り付けられ発光部取り付け部を前側に備え前記発光部取り付け部よりも前記器具本体側に位置するカメラ部取り付け部を後側に備える放熱板と、
下側面に複数の照明用ＬＥＤが取り付けられ前記発光部取り付け部の下側面に取り付けられたＬＥＤ取り付け回路基板と、前記照明用ＬＥＤの個々に対応する配光レンズ部を有する配光ユニットと、を備える発光部と、
前記本体カバーに形成され前記ＬＥＤの発光光が通過する透過孔と、
前記透過孔を塞ぐ形状のＬＥＤ透光カバーと、
を備え、
前記カメラ部は、
前記本体部内に取り付けられ受像部を通して撮影した画像を処理し記録する機能を備え、
前記カメラ部取り付け部に取り付けられるカメラ本体部と、
前記カメラ本体部に取り付けられ前記本体カバーの下方へ突出し前記受像部のレンズが覆われた透光性ドームカバーと、
を備え、
前記配光ユニットは、前記照明用ＬＥＤの出射光が前後方向への配光が抑制され左右方向に向かう配光となる配光特性である、
ことを特徴とする防犯カメラ付き屋外用照明器具。
【請求項３】
照明部とカメラ部からなり、
前記照明部は、
下側に開口する内部空間を有し後部に支柱等への取り付け部を備えた熱伝導良好な不透光性の器具本体と、前記開口を覆うように前記器具本体に取り付けられた不透光性の本体カバーとからなる本体部と、
前記器具本体に伝熱的に取り付けられ発光部取り付け部を前側に備え前記発光部取り付け部よりも前記器具本体側に位置するカメラ部取り付け部を後側に備える放熱板と、
下側面に複数の照明用ＬＥＤが取り付けられ前記発光部取り付け部の下側面に取り付けられたＬＥＤ取り付け回路基板と、前記照明用ＬＥＤの個々に対応する配光レンズ部を有する配光ユニットと、を備える発光部と、
前記本体カバーに形成され前記ＬＥＤの発光光が通過する透過孔と、
前記透過孔を塞ぐ形状のＬＥＤ透光カバーと、
を備え、
前記カメラ部は、
前記本体部内に取り付けられ受像部を通して撮影した画像を処理し記録する機能を備え、
前記カメラ部取り付け部に取り付けられるカメラ本体部と、
前記カメラ本体部に取り付けられ前記本体カバーの下方へ突出し前記受像部のレンズが覆われた透光性ドームカバーと、
を備え、
前記ＬＥＤ透光カバーに対応して前記ＬＥＤ取り付け回路基板の近傍に配置されたアンテナと、
前記器具本体内に取り付けられ前記カメラ部の画像データを前記アンテナから送信する通信回路と、を備え、
前記透光性ドームカバーは、前記本体カバーが前記器具本体に取り付けられた正規状態で前記本体カバーにて前記カメラ本体部から取り外し不可の状態に保持され、
前記器具本体から前記本体カバーが開いた状態または取り外された状態で、前記照明用ＬＥＤを含む前記ＬＥＤ取り付け回路基板及び前記アンテナが露出すると共に、前記カメラ本体部から前記透光性ドームカバーが取り外し可能となる、
ことを特徴とする防犯カメラ付き屋外用照明器具。
【請求項４】
照明部とカメラ部からなり、
前記照明部は、
下側に開口する内部空間を有し後部に支柱等への取り付け部を備えた熱伝導良好な不透光性の器具本体と、前記開口を覆うように前記器具本体に着脱自在または開閉自在取り付けられた不透光性の本体カバーとからなる本体部と、
前記器具本体に着脱自在に伝熱的に取り付けられ発光部取り付け部を前側に備え前記発光部取り付け部よりも前記器具本体側に位置するカメラ部取り付け部を後側に備える放熱板と、
下側面に複数の照明用ＬＥＤが取り付けられ前記発光部取り付け部の下側面に取り付けられたＬＥＤ取り付け回路基板と、前記照明用ＬＥＤの個々に対応する配光レンズ部を有する配光ユニットと、を備える発光部と、
前記本体カバーに形成され前記ＬＥＤの発光光が通過する透過孔と、
前記透過孔を塞ぐ形状のＬＥＤ透光カバーと、
前記照明用ＬＥＤの電源として商用電力を変換した直流電力を供給する電源回路と、
周囲の照度を検出する照度センサによって前記照明用ＬＥＤの点灯及び消灯を制御する点灯制御回路と、
を備え、
前記カメラ部は、
前記本体部内に取り付けられ受像部を通して撮影した画像を処理し記録する機能を備え、
前記カメラ部取り付け部に取り付けられるカメラ本体部と、
前記カメラ本体部に取り付けられ前記本体カバーの下方へ突出し前記受像部のレンズが覆われた透光性ドームカバーと、
前記カメラ部内の各回路を制御するＣＰＵ（中央処理装置）の動作によって前記受像部から取り込まれた画像を画像処理回路によって画像データに処理し前記画像データをメモリに格納し前記画像データを外部端末機器等へ送信する通信回路を備えるカメラ制御部と、
前記内部空間の開口に臨み前記本体部の外部へ取り外し可能に前記器具本体内に取り付けた前記画像データを記録する外部記憶媒体（ＳＳＤ）と、
前記カメラ部の電源として商用電力を変換した直流電力を供給する電源回路と、
を備える、
ことを特徴とする防犯カメラ付き屋外用照明器具。
【請求項５】
照明部とカメラ部からなり、
前記照明部は、
下側に開口する内部空間を有し後部に支柱等への取り付け部を備えた熱伝導良好な不透光性の器具本体と、前記開口を覆うように前記器具本体に取り付けられた不透光性の本体カバーとからなる本体部と、
前記器具本体に伝熱的に取り付けられ発光部取り付け部を前側に備え前記発光部取り付け部よりも前記器具本体側に位置するカメラ部取り付け部を後側に備える放熱板と、
下側面に複数の照明用ＬＥＤが取り付けられ前記発光部取り付け部の下側面に取り付けられたＬＥＤ取り付け回路基板と、前記照明用ＬＥＤの個々に対応する配光レンズ部を有する配光ユニットと、を備える発光部と、
前記本体カバーに形成され前記ＬＥＤの発光光が通過する透過孔と、
前記透過孔を塞ぐ形状のＬＥＤ透光カバーと、
前記照明用ＬＥＤの発光を制御するＬＥＤ制御回路と、
を備え、
前記カメラ部は、
前記本体部内に取り付けられ受像部を通して撮影した画像を処理し記録する機能を備え、
前記カメラ部取り付け部に取り付けられるカメラ本体部と、
前記カメラ本体部に着脱自在に取り付けられ前記本体カバーの下方へ突出し前記受像部のレンズが覆われた透光性ドームカバーと、
前記カメラ部内の各回路を制御するＣＰＵ（中央処理装置）の動作によって前記受像部から取り込まれた画像を画像処理回路によって画像データに処理し前記画像データをメモリに格納し前記画像データを外部端末機器等へ送信する通信回路を備えるカメラ制御部と、
前記放熱板より後方で前記器具本体内に配置され前記カメラ本体部の後方位置で前記開口に臨み前記画像データを記録し前記本体部の外部へ取り外し可能に取り付けられた外部記憶媒体（ＳＳＤ）と、
を備え、
前記ＬＥＤ制御回路は前記外部記憶媒体（ＳＳＤ）の上方にて前記器具本体に取り付けられ、
前記カメラ制御部は、前記外部記憶媒体（ＳＳＤ）及び前記ＬＥＤ制御回路よりも前方で前記放熱板の上方にて前記器具本体に取り付けられ、
前記カメラ部の電源として商用電力を変換した直流電力を供給する電源回路が前記カメラ制御部の上方または前方にて前記器具本体に取り付けられ、
前記放熱板は、前記開口を開いた状態とするために、前記器具本体への取付け解除状態にて前記器具本体に対して前端部が係止状態にて吊り下げ状態となるか前記器具本体から取り外し可能となり、
前記本体カバーが前記開口を開いた状態で、前記ＬＥＤ取り付け回路基板と前記カメラ部は前記器具本体側に残った状態となり、前記外部記憶媒体（ＳＳＤ）は前記カメラ本体部の後方位置で取り外し可能に前記開口に臨み、
前記本体カバーが前記開口を開き且つ前記放熱板が前記開口を開いた状態で、カメラ制御部が前記開口を通して露出状態となる、
ことを特徴とする防犯カメラ付き屋外用照明器具。
【請求項６】
前記配光ユニットは、前記照明用ＬＥＤの出射光が前後方向への配光が抑制され左右方向に向かう配光となる配光特性であり、
前記ＬＥＤ透光カバーは、前記透過孔を塞ぎ下方へ膨出した形状をなし、
前記照明用ＬＥＤの後方位置であって前記透過孔を通して前記ＬＥＤ透光カバーから下方へ発光光が透過するよう前記放熱板の下側面に配置されたインジケータ用ＬＥＤを備え、
前記照明用ＬＥＤと前記インジケータ用ＬＥＤとの間に前記照明用ＬＥＤの発光のうち後方へ向かう発光光を遮る遮光壁が、前記放熱板側から前記透過孔を通して前記ＬＥＤ透光カバーの内面に近接または当接する位置へ延出する、
ことを特徴とする請求項１乃至５のいずれかに記載の防犯カメラ付き屋外用照明器具。
【発明の詳細な説明】
【技術分野】
【０００１】
本発明は、防犯カメラを備えた屋外用照明器具の改良に関する。
【背景技術】
【０００２】
ＬＥＤ（発光ダイオード）の発光によって道路面等の被照明部を照明する屋外用照明器具に防犯用カメラを備えたものがある。
これは、開閉可能な透光性フードを備えた軽金属ダイキャスト製のケース内に、ＬＥＤからなる照明部と、記録装置を備えた監視カメラと、照明部と監視カメラに電力を供給する電源ユニットを取り付けるものである（特許文献１）。
【先行技術文献】
【特許文献】
【０００３】
【特許文献１】特開２０１６-７２２０３号公報
【発明の概要】
【発明が解決しようとする課題】
【０００４】
本発明が対象とする防犯カメラを備えた屋外用照明器具として、カメラ部に関しては、撮像素子（ＣＭＯＳ：Complementary Metal Oxide Semiconductorという）から取り入れた画像をディジタル信号の画像データに処理する画像処理回路、この画像データを格納する半導体メモリ、この画像データを外部へ送信する為の信号の送受信回路、各回路の動作制御及び送受信回路を通して通信プログラムを実行する中央処理装置（ＣＰＵという）、このＣＰＵの実行プログラムや画像データを格納する半導体メモリのＲＯＭ、ＣＰＵの実行プログラムデータや画像データを格納する半導体メモリのＲＡＭ、画像データを外部へ取り出し可能に取り付けた外部記憶媒体（ＳＳＤ: solid state diskという）、ＡＣ電力を変換したＤＣ電力をカメラ部及び照明部へ供給する電源回路、カメラ部の動作状況を表示するためのインジケータ等を備える。
一方、照明部に関しては、ＬＥＤを含む発光部、ＬＥＤの点灯制御のための点灯制御回路、これらへＡＣ電力を変換したＤＣ電力を供給する電源回路等を備える。
【０００５】
このような防犯カメラを備えた屋外用照明器具は、ＬＥＤの発光の多くがカメラ部の撮像素子（ＣＭＯＳ）に入射すれば撮影映像が不鮮明になる所謂ハレーションが生じるため、それを防止する構成が必要となる。
また、ＬＥＤの発光による発熱と、撮像素子（ＣＭＯＳ）から取り入れた画像を処理する画像処理回路等の発熱を良好に放熱することも求められる。
【０００６】
このため、上記のようなハレーションが生じないこと、ＬＥＤの発光がインジケータの目視の邪魔にならないこと、上記のような発熱が効果的に放熱されること、また、前記外部記憶媒体は照明器具外へ適宜取り出しできるようにするための取り出しの容易さや、これを新品に交換するための交換の容易さ、等を考慮した照明器具が要求される。
【０００７】
本発明は、このような点に鑑み、前記放熱効果の向上、ハレーション防止、インジケータの良好な目視、外部記憶媒体の取り出し等の課題を解決するために、外部記憶媒体の配置、カメラ部や照明部の各回路や装置の配置に係る新規にして進歩性のある技術を提供するものである。
【課題を解決するための手段】
【０００８】
第１の本発明の防犯カメラ付き屋外用照明器具は、
照明部とカメラ部からなり、
前記照明部は、
下側に開口する内部空間を有し後部に支柱等への取り付け部を備えた熱伝導良好な不透光性の器具本体と、前記開口を覆うように前記器具本体に取り付けられた不透光性の本体カバーとからなる本体部と、
前記器具本体に伝熱的に取り付けられ発光部取り付け部を前側に備え前記発光部取り付け部よりも前記器具本体側に位置するカメラ部取り付け部を後側に備える放熱板と、
下側面に複数の照明用ＬＥＤが取り付けられ前記発光部取り付け部の下側面に取り付けられたＬＥＤ取り付け回路基板と、前記照明用ＬＥＤの個々に対応する配光レンズ部を有する配光ユニットと、を備える発光部と、
前記本体カバーに形成され前記ＬＥＤの発光光が通過する透過孔と、
前記透過孔を塞ぐ形状のＬＥＤ透光カバーと、
を備え、
前記カメラ部は、
前記本体部内に取り付けられ受像部を通して撮影した画像を処理し記録する機能を備え、
前記カメラ部取り付け部に取り付けられるカメラ本体部と、
前記カメラ本体部に取り付けられ前記本体カバーの下方へ突出し前記受像部のレンズが覆われた透光性ドームカバーと、
を備え、
前記照明用ＬＥＤの発熱と前記画像処理回路の発熱が前記放熱板から前記器具本体へ伝熱される、
ことを特徴とする。
【０００９】
第２の本発明の防犯カメラ付き屋外用照明器具は、
照明部とカメラ部からなり、
前記照明部は、
下側に開口する内部空間を有し後部に支柱等への取り付け部を備えた熱伝導良好な不透光性の器具本体と、前記開口を覆うように前記器具本体に取り付けられた不透光性の本体カバーとからなる本体部と、
前記器具本体に伝熱的に取り付けられ発光部取り付け部を前側に備え前記発光部取り付け部よりも前記器具本体側に位置するカメラ部取り付け部を後側に備える放熱板と、
下側面に複数の照明用ＬＥＤが取り付けられ前記発光部取り付け部の下側面に取り付けられたＬＥＤ取り付け回路基板と、前記照明用ＬＥＤの個々に対応する配光レンズ部を有する配光ユニットと、を備える発光部と、
前記本体カバーに形成され前記ＬＥＤの発光光が通過する透過孔と、
前記透過孔を塞ぐ形状のＬＥＤ透光カバーと、
を備え、
前記カメラ部は、
前記本体部内に取り付けられ受像部を通して撮影した画像を処理し記録する機能を備え、
前記カメラ部取り付け部に取り付けられるカメラ本体部と、
前記カメラ本体部に取り付けられ前記本体カバーの下方へ突出し前記受像部のレンズが覆われた透光性ドームカバーと、
を備え、
前記配光ユニットは、前記照明用ＬＥＤの出射光が前後方向への配光が抑制され左右方向に向かう配光となる配光特性である、
ことを特徴とする。
【００１０】
第３の本発明の防犯カメラ付き屋外用照明器具は、
照明部とカメラ部からなり
前記照明部は、
下側に開口する内部空間を有し後部に支柱等への取り付け部を備えた熱伝導良好な不透光性の器具本体と、前記開口を覆うように前記器具本体に取り付けられた不透光性の本体カバーとからなる本体部と、
前記器具本体に伝熱的に取り付けられ発光部取り付け部を前側に備え前記発光部取り付け部よりも前記器具本体側に位置するカメラ部取り付け部を後側に備える放熱板と、
下側面に複数の照明用ＬＥＤが取り付けられ前記発光部取り付け部の下側面に取り付けられたＬＥＤ取り付け回路基板と、前記照明用ＬＥＤの個々に対応する配光レンズ部を有する配光ユニットと、を備える発光部と、
前記本体カバーに形成され前記ＬＥＤの発光光が通過する透過孔と、
前記透過孔を塞ぐ形状のＬＥＤ透光カバーと、
を備え、
前記カメラ部は、
前記本体部内に取り付けられ受像部を通して撮影した画像を処理し記録する機能を備え、
前記カメラ部取り付け部に取り付けられるカメラ本体部と、
前記カメラ本体部に取り付けられ前記本体カバーの下方へ突出し前記受像部のレンズが覆われた透光性ドームカバーと、
を備え、
前記ＬＥＤ透光カバーに対応して前記ＬＥＤ取り付け回路基板の近傍位置に配置されたアンテナと、
前記器具本体内に取り付けられ前記カメラ部の画像データを前記アンテナから送信する通信回路と、を備え、
前記透光性ドームカバーは、前記本体カバーが前記器具本体に取り付けられた正規状態で前記本体カバーにて前記カメラ本体部から取り外し不可の状態に保持され、
前記器具本体から前記本体カバーが開いた状態または取り外された状態で、前記照明用ＬＥＤを含む前記ＬＥＤ取り付け回路基板及び前記アンテナが露出すると共に、前記カメラ本体部から前記透光性ドームカバーが取り外し可能となる、
ことを特徴とする。
【００１１】
第４の本発明の防犯カメラ付き屋外用照明器具は、
照明部とカメラ部からなり、
前記照明部は、
下側に開口する内部空間を有し後部に支柱等への取り付け部を備えた熱伝導良好な不透光性の器具本体と、前記開口を覆うように前記器具本体に着脱自在または開閉自在取り付けられた不透光性の本体カバーとからなる本体部と、
前記器具本体に着脱自在に伝熱的に取り付けられ発光部取り付け部を前側に備え前記発光部取り付け部よりも前記器具本体側に位置するカメラ部取り付け部を後側に備える放熱板と、
下側面に複数の照明用ＬＥＤが取り付けられ前記発光部取り付け部の下側面に取り付けられたＬＥＤ取り付け回路基板と、前記照明用ＬＥＤの個々に対応する配光レンズ部を有する配光ユニットと、を備える発光部と、
前記本体カバーに形成され前記ＬＥＤの発光光が通過する透過孔と、
前記透過孔を塞ぐ形状のＬＥＤ透光カバーと、
前記照明用ＬＥＤの電源として商用電力を変換した直流電力を供給する電源回路と、
周囲の照度を検出する照度センサによって前記照明用ＬＥＤの点灯及び消灯を制御する点灯制御回路と、
を備え、
前記カメラ部は、
前記本体部内に取り付けられ受像部を通して撮影した画像を処理し記録する機能を備え、
前記カメラ部取り付け部に取り付けられるカメラ本体部と、
前記カメラ本体部に取り付けられ前記本体カバーの下方へ突出し前記受像部のレンズが覆われた透光性ドームカバーと、
前記カメラ部内の各回路を制御するＣＰＵ（中央処理装置）の動作によって前記受像部から取り込まれた画像を画像処理回路によって画像データに処理し前記画像データをメモリに格納し前記画像データを外部端末機器等へ送信する通信回路を備えるカメラ制御部と、
前記内部空間の開口に臨み前記本体部の外部へ取り外し可能に前記器具本体内に取り付けた前記画像データを記録する外部記憶媒体（ＳＳＤ）と、
前記カメラ部の電源として商用電力を変換した直流電力を供給する電源回路と、
を備える、
ことを特徴とする。
【００１２】
第５の本発明の防犯カメラ付き屋外用照明器具は、
照明部とカメラ部からなり、
前記照明部は、
下側に開口する内部空間を有し後部に支柱等への取り付け部を備えた熱伝導良好な不透光性の器具本体と、前記開口を覆うように前記器具本体に取り付けられた不透光性の本体カバーとからなる本体部と、
前記器具本体に伝熱的に取り付けられ発光部取り付け部を前側に備え前記発光部取り付け部よりも前記器具本体側に位置するカメラ部取り付け部を後側に備える放熱板と、
下側面に複数の照明用ＬＥＤが取り付けられ前記発光部取り付け部の下側面に取り付けられたＬＥＤ取り付け回路基板と、前記照明用ＬＥＤの個々に対応する配光レンズ部を有する配光ユニットと、を備える発光部と、
前記本体カバーに形成され前記ＬＥＤの発光光が通過する透過孔と、
前記透過孔を塞ぐ形状のＬＥＤ透光カバーと、
前記照明用ＬＥＤの発光を制御するＬＥＤ制御回路と、
を備え、
前記カメラ部は、
前記本体部内に取り付けられ受像部を通して撮影した画像を処理し記録する機能を備え、
前記カメラ部取り付け部に取り付けられるカメラ本体部と、
前記カメラ本体部に着脱自在に取り付けられ前記本体カバーの下方へ突出し前記受像部のレンズが覆われた透光性ドームカバーと、
前記カメラ部内の各回路を制御するＣＰＵ（中央処理装置）の動作によって前記受像部から取り込まれた画像を画像処理回路によって画像データに処理し前記画像データをメモリに格納し前記画像データを外部端末機器等へ送信する通信回路を備えるカメラ制御部と、
前記放熱板より後方で前記器具本体内に配置され前記カメラ本体部の後方位置で前記開口に臨み前記画像データを記録し前記本体部の外部へ取り外し可能に取り付けられた外部記憶媒体（ＳＳＤ）と、
を備え、
前記ＬＥＤ制御回路は前記外部記憶媒体（ＳＳＤ）の上方にて前記器具本体に取り付けられ、
前記カメラ制御部は、前記外部記憶媒体（ＳＳＤ）及び前記ＬＥＤ制御回路よりも前方で前記放熱板の上方にて前記器具本体に取り付けられ、
前記カメラ部の電源として商用電力を変換した直流電力を供給する電源回路が前記カメラ制御部の上方または前方にて前記器具本体に取り付けられ、
前記放熱板は、前記開口を開いた状態とするために、前記器具本体への取付け解除状態にて前記器具本体に対して前端部が係止状態にて吊り下げ状態となるか前記器具本体から取り外し可能となり、
前記本体カバーが前記開口を開いた状態で、前記ＬＥＤ取り付け回路基板と前記カメラ部は前記器具本体側に残った状態となり、前記外部記憶媒体（ＳＳＤ）は前記カメラ本体部の後方位置で取り外し可能に前記開口に臨み、
前記本体カバーが前記開口を開き且つ前記放熱板が前記開口を開いた状態で、カメラ制御部が前記開口を通して露出状態となる、
ことを特徴とする。
【００１３】
第６の本発明の防犯カメラ付き屋外用照明器具は、上記第１乃至第５の本発明において、
前記配光ユニットは、前記照明用ＬＥＤの出射光が前後方向への配光が抑制され左右方向に向かう配光となる配光特性であり、
前記ＬＥＤ透光カバーは、前記透過孔を塞ぎ下方へ膨出した形状をなし、
前記照明用ＬＥＤの後方位置であって前記透過孔を通して前記ＬＥＤ透光カバーから下方へ発光光が透過するよう前記放熱板の下側面に配置されたインジケータ用ＬＥＤを備え、
前記照明用ＬＥＤと前記インジケータ用ＬＥＤとの間に前記照明用ＬＥＤの発光のうち後方へ向かう発光光を遮る遮光壁が、前記放熱板側から前記透過孔を通して前記ＬＥＤ透光カバーの内面に近接または当接する位置へ延出する、
ことを特徴とする。
【発明の効果】
【００１４】
上記第１の本発明では、内部に部品が収容されカメラ部の構造的主要部を構成するカメラ本体部と透光性ドームカバーが金属等の熱伝導良好な不透光性の器具本体に取り付けられるため、その取り付けが安定し、器具本体の開口が金属等の不透光性の本体カバーによって覆われるため、照明器具自体を堅固な状態に保てる。
また、単一の放熱板に照明用ＬＥＤとカメラ本体部が取り付けられるため、これらを別個の放熱板に夫々取り付ける構成とする場合に比して、器具本体への照明用ＬＥＤとカメラ本体部の取り付けがし易くなると共に、カメラ本体部内に収容した画像処理回路とＬＥＤの発熱の放熱が良好に行える。
【００１５】
上記第２の本発明では、内部に部品が収容されカメラ部の構造的主要部を構成するカメラ本体部と透光性ドームカバーが金属等の熱伝導良好な不透光性の器具本体に取り付けられるため、その取り付けが安定し、器具本体の開口が金属等の不透光性の本体カバーによって覆われるため、照明器具自体を堅固な状態に保てる。
また、単一の放熱板に照明用ＬＥＤとカメラ本体部が取り付けられるため、これらを別個の放熱板に夫々取り付ける構成とする場合に比して、器具本体への照明用ＬＥＤとカメラ本体部の取り付けがし易くなる。
また、照明用ＬＥＤが前記器具本体の下側開口よりも下方位置で本体カバー内に配置される配置とすれば、ＬＥＤ透光カバーを透過したＬＥＤ発光光が下方の道路面等を所期の照射範囲で良好に照射できる。
また、ＬＥＤ取り付け回路基板が取り付けられる放熱板にカメラ本体部が取り付けられるため、ＬＥＤ取り付け回路基板と透光性ドームカバーの高さ関係が所定値に収まるような取り付けが達成でき、配光ユニットが照明用ＬＥＤの出射光が前後方向への配光が抑制され左右方向に向かう配光となる配光特性であることにより、ＬＥＤ発光光が受像部のレンズを通して侵入する光量を所定値以下に制限してハレーションを防止できる状態に設定し易くなる。
【００１６】
上記第３の本発明では、内部に部品が収容されカメラ部の構造的主要部を構成するカメラ本体部と透光性ドームカバーが金属等の熱伝導良好な不透光性の器具本体に取り付けられるため、その取り付けが安定し、器具本体の開口が金属等の不透光性の本体カバーによって覆われるため、照明器具自体を堅固な状態に保てる。
また、ＬＥＤ透光カバーに対応してＬＥＤ取り付け回路基板の近傍位置にアンテナを配置するため、アンテナの保護と共に、ＬＥＤ透光カバーを通した画像送信のための通信が良好となる。
また、器具本体から本体カバーが開いたまたは取り外された状態で、照明用ＬＥＤを含むＬＥＤ取り付け回路基板及びアンテナが露出するため、ＬＥＤ取り付け回路基板及びアンテナの点検がし易く、且つ、カメラ本体部から透光性ドームカバーが取り外し可能となり、内部のレンズの向きを調整して所期の方向の映像を取り込むことができる。
【００１７】
上記第４の本発明では、内部に部品が収容されカメラ部の構造的主要部を構成するカメラ本体部と透光性ドームカバーが金属等の熱伝導良好な不透光性の器具本体に取り付けられるため、その取り付けが安定し、器具本体の開口が金属等の不透光性の本体カバーによって覆われるため、照明器具自体を堅固な状態に保てる。
また、本体カバーが開口を開いた状態で、外部記憶媒体（ＳＳＤ）はカメラ本体部の後方位置で開口から取り外し可能となる。
【００１８】
上記第５の本発明では、内部に部品が収容されカメラ部の構造的主要部を構成するカメラ本体部と透光性ドームカバーが金属等の熱伝導良好な不透光性の器具本体に取り付けられるため、その取り付けが安定し、器具本体の開口が金属等の不透光性の本体カバーによって覆われるため、照明器具自体を堅固な状態に保てる。
また、ＬＥＤ発光に伴う発熱とカメラ部の回路からの発熱の放熱が効果的に行われ、これら発熱による故障が生じない構成であると共に、外部記憶媒体（ＳＳＤ）の取り外しが容易に行えるものとなる。
また、本体カバーが開口を開き且つ放熱板が開口を開いた状態で、カメラ制御部が開口を通して露出状態となるため、カメラ制御部の点検、カメラ制御部の基板ごとの回路交換、カメラ制御部の部品交換等がし易くなる。
【００１９】
上記第６の本発明において、配光ユニットが照明用ＬＥＤの出射光が前後方向への配光が抑制され左右方向に向かう配光となる配光特性であり、遮光壁が放熱板側から透過孔を通してＬＥＤ透光カバーの内面に近接または当接する位置へ延出するため、照明用ＬＥＤの発光のうち後方へ向かう発光光を抑制する効果が発揮でき、ＬＥＤ透光カバーで反射される照明用ＬＥＤの発光がインジケータに到達する割合も減少でき、インジケータの夜間における視認がし易くなる。また、遮光壁の下方への延出によって、照明用ＬＥＤの発光が受像部へ進入することを抑制できる効果も生じ、画像のハレーション防止にも役立つ。
【図面の簡単な説明】
【００２０】
【図１】本発明に係る防犯カメラ付き屋外用照明器具の斜め下方から見た斜視図である。
【図２】本発明に係る防犯カメラ付き屋外用照明器具の本体カバーと外部記憶媒体（ＳＳＤ）を取り外した状態の器具本体内部を下方から見た図である。
【図３】本発明に係る防犯カメラ付き屋外用照明器具の内部を示す縦断側面図である。
【図４】本発明に係る防犯カメラ付き屋外用照明器具のアンテナ配置を示す位置での縦断側面図である。
【図５】本発明に係る防犯カメラ付き屋外用照明器具のインジケータ箇所を示す位置での縦断側面図である。
【図６】本発明に係る防犯カメラ付き屋外用照明器具の本体カバーを開いた状態を示す側面図である。
【図７】本発明に係る防犯カメラ付き屋外用照明器具の本体カバーと放熱板を開いた状態を示す側面図である。
【図８】本発明に係る防犯カメラ付き屋外用照明器具の本体カバーと放熱板を開いた状態の詳細を示す縦断側面図である。
【図９】本発明に係る防犯カメラ付き屋外用照明器具の動作に係る回路構成の概略を示すブロック図である。
【発明を実施するための形態】
【００２１】
本発明に係る防犯カメラ付き屋外用照明器具は、その一つの構成として、
照明部とカメラ部からなり、
前記照明部は、
下側に開口する内部空間を有し後部に支柱等への取り付け部を備えた熱伝導良好な不透光性の器具本体と、前記開口を覆うように前記器具本体に取り付けられた不透光性の本体カバーとからなる本体部と、
前記器具本体に伝熱的に取り付けられ前記開口から前記本体カバー内へ突出し発光部取り付け部を前側に備え前記発光部取り付け部よりも前記器具本体側に位置するカメラ部取り付け部を後側に備える放熱板と、
下側面に複数の照明用ＬＥＤが取り付けられ前記発光部取り付け部の下側面に取り付けられたＬＥＤ取り付け回路基板と、前記照明用ＬＥＤの個々に対応する配光レンズ部を有する配光ユニットと、を備える発光部と、
前記本体カバーに形成され前記ＬＥＤの発光光が通過する透過孔と、
前記透過孔を塞ぎ下方へ膨出した形状のＬＥＤ透光カバーと、
を備え、
前記カメラ部は、
前記本体部内に取り付けられ受像部を通して撮影した画像を処理し記録する機能を備え、
前記カメラ部取り付け部に取り付けられるカメラ本体部と、
前記カメラ本体部に取り付けられ前記本体カバーの通孔から前記本体カバーの下方へ突出し前記受像部のレンズが覆われた透光性ドームカバーと、
を備え、
前記配光ユニットは、前記照明用ＬＥＤの出射光が前後方向への配光が抑制され左右方向に向かう配光となる配光特性であり、
前記透光性ドームカバーの下方への突出は、前記ＬＥＤ透光カバーの下方への突出よりも長く、前記ＬＥＤ透光カバーを通過するＬＥＤ発光光により前記受像部から取り込まれる画像が所定のハレーションを生じない突出長さである。
以下、本発明の実施形態について図面を参照して説明する。
【００２２】
本発明に係る防犯カメラ付き屋外用照明器具１は、全体形状が前後方向に長い形態をなし、照明部１Ａとカメラ部５０からなり、不透光性の器具本体２の下面側の周縁部で囲まれた領域に照明用発光ダイオードであるＬＥＤ素子７が放射する光を所定の配光にて出射する発光部６が取り付けられ、光発光部６の出射光、すなわちＬＥＤ素子７の出射光が、道路の長手方向に配光される照明器具である。
図1乃至図５に示すように、照明部１Ａは、下面の略全域が開口するように前後方向に長い開口２Ａを形成し内外両面に防錆効果のある熱伝導性塗装を施した金属製等の熱伝導良好な不透光性の器具本体２と、この器具本体２の開口２Ａを塞ぐように開口２Ａの周縁部に組み合わされる前後方向に長い金属等の不透光性の本体カバー２２からなる本体部１Ｈを有する。
【００２３】
器具本体２は、上壁２Ｔと前記上壁２Ｔから下降する周囲壁２Ｓを有し、周囲壁２Ｓで囲まれた下側に開口する開口２Ａを形成した内部空間４を有するアルミニウムのダイキャスト製等の熱良導材で前後方向に長い形態に構成され、図示していない支柱等へ締結バンドにて取り付ける取り付け部１０を後部に備える。器具本体２の開口２Ａを覆うように上面周縁部が開口２Ａに密着状態に組み合わされる金属等の不透光性の本体カバー２２を有する。
不透光性の本体カバー２２は、器具本体２の上壁２Ｔ内から垂下する取り付けボス２Ｂ１に、金属製の取り付け補助板２２Ｆを介してまたは直接、ネジ１Ｇで着脱自在に止められる。
なお、本体カバー２２は、器具本体２の前端部、後端部または左右側面のいずれかの下端部に、蝶番によって器具本体２に開閉自在に取り付けられる構成でもよい。
【００２４】
本体カバー２２は、上面開口の容器形態をなし、上端周縁部には上方へ突出する環状のフランジが形成されている。本体２の開口２Ａの周縁部には、本体カバー２２の前記フランジが嵌り込む環状の下向き開口の溝を有する。
この溝に前記フランジが嵌り込むように、本体カバー２２を本体２の開口部２Ａに組み合わせた状態で、ネジ１Ｇで固定する。前記溝と前記フランジが嵌り合う凹凸構成によって、本体２と本体カバー２２との間が防水構造をなしている。
なお、下前記溝は、その上底にパッキンを収容すれば、このパッキンが前記フランジの上端によって圧縮される構成によって、更によい防水効果が得られる。
【００２５】
器具本体２の内部空間４のうちの後部空間４Ｂよりも前方の前部空間４Ａにおいて、開口部２Ａに沿って平板状のアルミニウム等の金属製の放熱板９が配置される。器具本体２の内部空間４には、後述のように所要回路の取り付けのために金属製の取り付け板８８を備える。取り付け板８８は、前端部と後端部がそれぞれ器具本体２の上壁２Ｔ内から垂下する取り付けボス２Ｂ３にネジにて取り付けられ、取り付け板８８の前端部から下方へ延びる支持部８８Ａを備える。
放熱板９は、平板部９Ｈの前部から上方へ延びる係止部９Ａが取り付け板８８の支持部８８Ａに回動可能かつ取り外し可能に係止し、平板部９Ｈの後部から上方へ延びる支持部９Ｂが器具本体２の上壁２Ｔ内から垂下する取り付けボス２Ｂ２にネジにて取り付けられる。
これによって、取り付け板８８及び放熱板９は器具本体２に伝熱的に取り付けられた状態となる。
【００２６】
放熱板９の平板部９Ｈは、開口２Ａから本体カバー２２内へ突出する発光部取り付け部９Ｈ１を前側に備え、発光部取り付け部９Ｈ１よりも上方への段差にて器具本体２側に位置するカメラ部取り付け部９Ｈ２を後側に一体形成している。
【００２７】
照明器具１は前後方向に長い形態であり、前後方向に長い開口部２Ａに沿って前後方向に長い発光部６を配置している。発光部６は、照明用ＬＥＤ素子（発光ダイオード）７が放射する光を所定の配光にて出射する部分であり、前後に長い矩形状の平板状のＬＥＤ取り付け回路基板５の下側面にＬＥＤ素子７が下方へ僅かに突出状態で配置され、ＬＥＤ素子７の発光を所定配光にて下方へ照射するための配光ユニット８を備える。
配光ユニット８は、各ＬＥＤ素子７を覆うように回路基板５の下側面に重ね合わせ状態にネジ等にて取り付けられる。
【００２８】
ＬＥＤ素子７は、ＬＥＤチップ（ベアチップ）が黄色の蛍光剤入り封止材で封止された形態の白色発光素子であるが、１個のＬＥＤチップ（ベアチップ）が黄色の蛍光剤入り封止材で封止された形態、または２個等複数のＬＥＤチップ（ベアチップ）の直列接続されたものが複数並列接続され、これが黄色の蛍光剤入り封止材で封止された形態であってもよい。
【００２９】
図に示すように、配光ユニット８は、電気絶縁性を有し透光性合成樹脂製で形成された平板状であり、回路基板５の下側面に密着状態で取り付けられ、ＬＥＤ素子７が放射する光を所定の配光にて出射する機能を有するために、平板状の板状部８１には、各ＬＥＤ素子７に対応するよう板状部８１から突出する配光部８２を一体形成している。実施例の配光ユニット８は前後２枚で構成されるが、前後に長い1枚の矩形状であってもよい。
配光部８２は、各ＬＥＤ素子７が個々に収容されるように回路基板５側に開口する凹部を形成した配光レンズ部を構成する。配光レンズ部８２は、板状部８１から下方へ向けて所定の曲率にて突出した曲面形状をなす。
ＬＥＤ素子７の発光光が照明器具の左右方向へ長い配光をなすように、配光レンズ部８２は、左右方向に長い半俵状・反円弧状等の形状をなす。これによって、ＬＥＤ素子７の発光光は、楕円形状・長円形状等の左右方向に長い配光特性をなす。
このため、後述のように、照明器具１が左右方向に延びる道路に対して略直行状態の配置となるように取り付け部１０にて支柱等へ取り付けられた状態で、配光レンズ部８２によって、ＬＥＤ素子７の出射光が、照明器具１の前後方向への配光が抑制されて道路の長手方向に向かう配光となる配光特性である。
【００３０】
発光部６は、放熱板９の発光部取り付け部９Ｈ１の下側面に回路基板５がネジ止めされる。発光部６に対応して本体カバー２２の平板状の下側壁には、略前後方向に長い矩形状のＬＥＤ7の発光光が通過する透過孔２２Ａを形成している。本体カバー２２には、透過孔２２Ａを塞ぐように取り付けられた下方へ膨出する形状のＬＥＤ透光カバー２３を備える。ＬＥＤ素子７の発光光は、透過孔２２Ａを通過してＬＥＤ透光カバー２３を透過し下方へ照射される。
【００３１】
この状態で、ＬＥＤ素子７の発光熱は、回路基板５から放熱板９へ伝達され、器具本体２の内部空間４に放熱されて器具本体２から外方へ放散される経路と、回路基板５から放熱板９へ伝達され係止部９Ａから取り付け板８８の支持部８８Ａを経由し器具本体２へ伝達されると共に支持部９Ｂから器具本体２へ伝達されて、器具本体２から外方へ放散される経路にて放熱される。
【００３２】
カメラ部５０は、後述のようにカメラ制御部５０Ｐの動作によって、透光性ドームカバー５１を透過してレンズ５３で捉える画像を所定の画像処理回路６０で画像処理し、所定のメモリ等の記憶装置へ画像データとして記憶し、この画像データを必要に応じて本体部１Ｈの外部へ取り出し可能とするものである。
【００３３】
カメラ部５０は、本体部１Ｈ内に取り付けられ受像部５２を通して撮影した画像を処理し記録する機能を備え、カメラ部取り付け部９Ｈ２に取り付けられるカメラ本体部５０Ａと、カメラ本体部５０Ａに取り付けられ本体カバー２２の通孔２２Ｂから本体カバー２２の下方へ突出し受像部５２のレンズ５３が覆われた略半球形の透光性ドームカバー５１とを備え、更に、カメラ制御部５０Ｐの動作によって、透光性ドームカバー５１を透過してレンズ５３で捉える画像を所定の画像処理し所定のメモリへ画像データとして記憶し、この画像データを必要に応じて本体部１Ｈの外部へ取り出し可能とするものである。
【００３４】
透光性ドームカバー５１はカメラ本体部５０Ａとネジ嵌合等によって着脱自在に組み合わされ、透光性ドームカバー５１によってカメラ部５０の受像部５２の光学レンズ５３が覆われる。
受像部５２は、レンズ５３で結像された光の強度に応じてＣＭＯＳ（Complementary Metal Oxide Semiconductor）５４がアナロク信号の電気信号を発生する構成である。
【００３５】
カメラ部５０は、放熱板９のカメラ部取り付け部９Ｈ２の下側面にカメラ本体部５０Ａが取り付けられ、透光性ドームカバー５１に対応して本体カバー２２には、略円形状の通孔２２Ｂが形成され、通孔２２Ｂの裏側面全周囲にカメラ本体部５０Ａの周縁部が防水状態で当接し、通孔２２Ｂを通して本体カバー２２の下方へ透光性ドームカバー５１が突出する。これによってレンズ５３を通して照明器具１の下方領域の画像を捉える。
【００３６】
カメラ制御部５０Ｐは、本体部１Ｈ内に取り付けられ、受像部５２を通して撮影した画像を処理し記録する機能を備え、カメラ部取り付け部９Ｈ２に取り付けられるカメラ本体部５０Ａと、カメラ本体部５０Ａに取り付けられ本体カバー２２の通孔２２Ｂから本体カバー２２の下方へ突出し受像部５２のレンズ５３が覆われた略半球形の透光性ドームカバー５１と、カメラ部５０内の各回路を制御する制御回路９０の動作によって受像部５２から取り込まれた画像を画像処理回路６０によって画像データに処理し前記画像データをメモリ６２に格納し前記画像データを外部端末機器１００等へ送信する通信回路６７を備え、更に、画像データを記録し本体部１Ｈの外部へ取り外し可能に器具本体２内に取り付けた外部記憶媒体（ＳＳＤ）６５への画像データ書き込み回路６３と、カメラ部５０の電源として交流の商用電力９４を変換した直流電力を供給する電源回路９５とを備える。
【００３７】
透光性ドームカバー５１はカメラ本体部５０Ａにネジ結合等にて着脱自在な構成である。このため、透光性ドームカバー５１を外せば内部のレンズの向きを手動操作にて所定の方向に調整可能となる。
なお、透光性ドームカバー５１が照明器具１の外部から簡単に取り外せないようにするための安全構成とすることができる。すなわち、本体カバー２２が開口２Ａを覆うように器具本体２に取り付けられた正規状態で、透光性ドームカバー５１のカメラ本体部５０Ａへの取付け基部の下側部が本体カバー２２の裏面に当接して、透光性ドームカバー５１はカメラ本体部５０Ａから取り外し不可の状態に保持する。または、他の構成によって本体カバー２２が開口２Ａを覆うように器具本体２に取り付けられた正規状態で、透光性ドームカバー５１がカメラ本体部５０Ａから取り外し不可とする。
このような構成によって、器具本体２から本体カバー２２が開いたまたは取り外された状態で、カメラ本体部５０Ａに透光性ドームカバー５１が結合された状態で露出し、照明用ＬＥＤ７を含むＬＥＤ取り付け回路基板５が露出する。そして、カメラ本体部５０Ａから透光性ドームカバー５１が取り外し可能となる。
【００３８】
照明器具１は、左右方向に延びる道路に対して略直行状態の配置となるように取り付け部１０にて支柱等へ取り付けられる。この状態で、照明器具１は前部が後部よりも略１５度の角度で前上がり状態に取り付けられる状態となり、配光部８２によって左右方向に長い配光特性をなすＬＥＤ素子７の発光光は、左右方向に長い道路面に沿って照射する配光となる。そして、カメラ部５０は、照明器具１の下方領域の左右方向に長い道路面等の画像を捉える。
【００３９】
上記の構成によって、透光性ドームカバー５１の下方への突出は、ＬＥＤ透光カバー２３の下方への突出よりも長く、ＬＥＤ透光カバー２３を通過するＬＥＤ発光光により受像部５２から取り込まれる画像が所定のハレーションを生じない突出長さを保つ。
【００４０】
カメラ部５０は、透光性ドームカバー５１を透過してレンズ５３で捉える画像を画像データに処理するための後述のカメラ制御部５０Ｐの一部である画像処理回路６０が、カメラ本体部５０Ａ内に配置されている。画像処理回路６０は、その発熱がカメラ本体部５０Ａを通してカメラ部取り付け部９Ｈ２に伝導するようカメラ本体部５０Ａ内に配置されている。なお、画像処理回路６０は、その発熱がカメラ部取り付け部９Ｈ２に直接伝導するよう構成してもよい。
【００４１】
このような構成によって、放熱板９は、発光部６とカメラ本体部５０Ａの取付け部となり、且つ、発光部６と画像処理回路６０の発熱の放熱部となる。発光部６とカメラ本体部５０Ａの取付けをハレーション防止効果が得られる配置にするために、放熱板９は、図示のように、発光部６の取り付け部９Ｈ１よりもカメラ本体部５０Ａの取り付け部９Ｈ２が一段上方に高く形成されているため、透光性ドームカバー５１の下方への突出長さを所定値に制限する状態で、発光部６とカメラ本体部５０Ａの取付けをハレーション防止効果が得られる配置にし易く、且つこれら両者の放熱を効果的に行える構成となる。
【００４２】
ＬＥＤ透光カバー２３に対応してＬＥＤ取り付け回路基板５の近傍位置に配置された無線用または無線ＬＡＮ用のアンテナ７０を備える。
アンテナ７０は、ＬＥＤ透光カバー２３を通して照明器具１の外部の通信機器と通信可能にＬＥＤ透光カバー２３に対応し、配光部８２から出射される発光光による所期の配光の邪魔にならない位置にて、ＬＥＤ取り付け回路基板５の左右いずれかの横側に前後方向に長く配置しているが、他の構成として、配光部８２から出射される発光光による所期の配光の邪魔にならない位置にて、ＬＥＤ取り付け回路基板５の前側または後ろ側に配置して、ＬＥＤ透光カバー２３を通して照明器具１の外部の通信機器と通信可能にＬＥＤ透光カバー２３に対応する配置であってもよい。
実施例では、ＬＥＤ取り付け回路基板５が、ＬＥＤ透光カバー２３に対応した本体カバー２２内に配置され、アンテナ７０もＬＥＤ透光カバー２３に対応した本体カバー２２内に配置されるようにして、照明用ＬＥＤ７による配光特性とアンテナ７０の通信の良好状態を確保しているが、照明用ＬＥＤ７による配光特性とアンテナ７０の通信の良好状態を確保できれば、ＬＥＤ取り付け回路基板５とアンテナ７０は、本体カバー２２内ではなくＬＥＤ透光カバー２３に対応して器具本体２の開口２Ａ部分に沿った配置でもよい。
【００４３】
器具本体２内には、ＣＰＵを含む制御回路９０の動作によってカメラ部５０の画像データをアンテナ７０から送信する通信回路７１を備える。
上記のように、器具本体２から本体カバー２２が開いたまたは取り外された状態で、照明用ＬＥＤ７を含むＬＥＤ取り付け回路基板５が露出するため、アンテナ７０も露出する。
即ち、器具本体２から本体カバー２２が開いたまたは取り外された状態で、発光部６及びアンテナ７０が露出するため、発光部６及びアンテナ７０の点検がし易くなる。
【００４４】
図９には、本発明に係る防犯カメラ付き屋外用照明器具１の動作に係るカメラ制御部５０Ｐの構成の概略を示すブロック図である。以下、これに関して説明する。
カメラ制御部５０Ｐは、透光性ドームカバー５１を通してレンズ５３で結像された光の強度に応じてＣＭＯＳ（Complementary Metal Oxide Semiconductor）５４がアナロク信号の電気信号を発生し、この電気信号が画像処理回路６０によってディジタル信号の画像データに処理される。画像処理回路６０は、アナログ信号をディジタル信号に変換するＡ／Ｄ変換回路６１と、この画像データを半導体メモリ６２に格納する。
【００４５】
メモリ６２に格納した画像データは、制御回路９０の動作によって所定のタイミングで、画像データ書き込み回路６３によって照明器具１の外部に取り出し可能な外部記憶媒体（ＳＳＤ）６５に格納する。
また、後述のように、メモリ６２に格納された画像データは、スマートフォンやパーソナルコンピュータ等の所定のパスワードを持つ携帯型外部端末機１００の操作により、その指令信号がアンテナ７０を通して通信回路７１に入力し、通信回路７１が動作して携帯型外部端末機１００へ無線送信される。
【００４６】
カメラ部５０の各動作は、制御回路９０によって統括制御される。制御回路９０は、カメラ部５０内の各回路部を制御する制御信号を出力すると共に通信回路７１を通して外部端末機１００との間の通信プログラムを実行する等の作用をするＣＰＵ（中央制御部）９１と、ＣＰＵ９１の実行するプログラムやデータ等を格納する半導体メモリのＲＯＭ９３と、ＣＰＵ９１の実行によるプログラムデータや画像データ等を格納する半導体メモリのＲＡＭ９２を有する。
【００４７】
また、カメラ制御部５０Ｐの各回路や、発光部６に係る回路への１２Ｖの直流電源となる電源回路９５を有する。
発光部６に係る回路としては、発光部６のＬＥＤ7の発光電力や、発光制御回路９６への直流電源となる電源回路９５を有する。発光制御回路９６は、照明器具１の周囲の明るさを検知する照度センサ９７の照度検知によって、夜間等のように暗くなった状態でＬＥＤ７を発光させ、明るくなったときＬＥＤ７を消灯させる作用をする。
実施例では、１２Ｖの直流電源となる電源回路９５は、照明部１Ａとカメラ制御部５０Ｐに共通の電源回路として構成している。
【００４８】
外部記憶媒体（ＳＳＤ）６５は、放熱板９より後方で器具本体２内に配置されカメラ本体部５０Ａの後方位置で開口２Ａに臨み、内部空間のうちの後部空間４Ｂに配置され、画像データを記録し本体部１Ｈの外部へ取り外し可能に器具本体２内にホルダー６５Ｈにて取り付けられる。
ホルダー６５Ｈは、本体カバー２２の取り付け補助板２２Ｆを後方へ延長した部分のホルダー主体６５ＨＢと、それにネジ６５Ｓにて取り付けられるホルダー補助板６５ＨＡで構成する。外部記憶媒体（ＳＳＤ）６５は、上壁及び左右壁で構成されたホルダー主体６５ＨＢの下側面に沿わせた状態で、外部記憶媒体（ＳＳＤ）６５を支えるホルダー補助板６５ＨＡをネジ６５Ｓにてホルダー主体６５ＨＢに締結することにて、ホルダー６５Ｈに保持される。
【００４９】
本体部１Ｈ内での各回路部の配置として、発光制御回路９６は外部記憶媒体（ＳＳＤ）６５の上方に配置される。また、カメラ制御部５０Ｐの一部である画像処理回路６０がカメラ本体部５０Ａ内に配置されているが、カメラ制御部５０Ｐのその他のカメラ制御回路５０ＰＫは、カメラ制御部基板に取り付けられている。このカメラ制御部基板は、金属製の支持部材５０Ｓを介してまたは直接、取り付け板８８の下側部分に取り付けられている。
カメラ制御回路５０ＰＫは、電源回路９５及び画像処理回路６０以外のカメラ部５０の回路の全て、即ち、Ａ／Ｄ変換回路６１、メモリ６２、通信回路７１、制御回路９０、画像データを外部記憶媒体（ＳＳＤ）６５へ書き込む画像データ書き込み回路６３、後述のＧＰＳ用アンテナ７５を通したＧＰＳ衛星との通信回路等を備える。
なお、実施例では画像処理回路６０がカメラ本体部５０Ａ内に配置されているが、画像処理回路６０をカメラ制御回路５０ＰＫが取り付けられる前記カメラ制御部基板に取り付ける構成でもよい。
また、他の形態として、カメラ本体部５０Ａ内に十分な空間があれば、カメラ本体部５０Ａ内に、電源回路９５以外のカメラ部５０の回路全てを収容し、これらから発する熱が放熱板９に伝達されて放熱されるように構成する。即ち、画像処理回路６０及びカメラ制御回路５０ＰＫ等、受像部５２から取り込んだ画像を画像データに処理し記憶し、外部記憶媒体（ＳＳＤ）６５へ書き込み、必要時に通信回路７１を通して携帯型外部端末機１００等へ無線送信する機能を持つ回路の全てをカメラ本体部５０Ａ内に収容し、これらから発する熱が放熱板９に伝達されて放熱されるように構成することもできる。
【００５０】
また、本体部１Ｈ内での各回路部の配置として、カメラ部５０及び照明部１Ａの電源として商用電力９４を変換した直流電力を供給する電源回路９５が、カメラ制御部５０Ｐの上方または前方位置、具体的にはカメラ制御回路５０ＰＫの上方または前方位置にて器具本体２の上壁２Ｔ近傍に配置されるように、金属製の取り付け板８８の前部分の上部に電源回路９５の回路基板がネジにて取り付けられる。
取り付け板８８の後部分の下部には発光制御回路９６の回路基板がネジにて取り付けられる。これによって、電源回路９５及び発光制御回路９６の発熱は、取り付け板８８を介して器具本体２から外方へ放散される経路と、内部空間４に放熱されて器具本体２から外方へ放散される経路にて放散される。
【００５１】
防犯カメラ付き屋外用照明器具１は、所定地域において街路に沿って複数設置されるが、その各々の照明器具１が撮影した画像がいつ撮影されたものであるかの日時と時刻を表示することが必要である。その撮影時刻を表示するために必要な時間情報を取得するための時間情報取得用アンテナ７５をＧＰＳ衛星との通信可能状態に備える。
アンテナ７５は、器具本体２が金属製であるため器具本体２の内部配置では所期の機能をしないため、器具本体２の上壁２Ｔの上面に取り付けてＧＰＳ衛星との通信が良好となる状態を保つことができ、器具本体２の後壁を貫通する配線７５Ａにてカメラ制御回路５０ＰＫの所要の回路へ接続される。
【００５２】
また、防犯カメラ付き屋外用照明器具１が支柱等に設置された状態において、カメラ部５０で撮影した画像が所定領域のものであるかの確認が必要である。このため、照明器具１の近傍において、スマートフォンやパーソナルコンピュータ等の所定のパスワードを持つ携帯型外部端末機１００の操作により、無線通信にてアンテナ７０及び通信回路７１を通してカメラ部５０で撮影した画像を外部端末機１００に取り込み、外部端末機１００の画面にて確認する。
その場合、所定の範囲の画像でない場合は、カメラ本体部５０Ａから透光性ドームカバー５１を取り外し、外部端末機１００の画面を見つつ内部のレンズの向きを手動操作にて所定の方向に調整し、所定の位置に調整することができる。
また、前述のように透光性ドームカバー５１の取り外しが安全構成の場合は、本体カバー２２にて開口２Ａを開いた状態で、カメラ本体部５０Ａから透光性ドームカバー５１を取り外し、外部端末機１００の画面を見つつ内部のレンズの向きを手動操作にて所定の方向に調整し、所定の位置に調整することができる。
【００５３】
防犯カメラ付き屋外用照明器具１は、上記のようなカメラ部５０で撮影した画像が所定状態であるかの確認調整の場合や、カメラ部５０が正常動作状態か異常状態かの確認等、照明器具１の状態表示を行うためのインジケータ４０として赤色ＬＥＤ４０Ｒと青色ＬＥＤ４０Ｂが、発光部６とカメラ部５０の間でＬＥＤ透光カバー２３を透過してその発光光が照明器具１の外部から視認できる配置である。この赤色ＬＥＤ４０Ｒと青色ＬＥＤ４０Ｂの発光パターンによって、種々の状態を表示するようにしている。
【００５４】
この赤色ＬＥＤ４０Ｒと青色ＬＥＤ４０Ｂがインジケータ基板の下側面に取り付けられた状態で、照明用ＬＥＤ７の後方位置で放熱板９の下側面に取り付けられている。その位置は、ＬＥＤ透光カバー２３を通してその発光状態が外部から視認できる状態である。
前述のように、照明器具１は、左右方向に延びる道路に対して略直行状態の配置となるように取り付け部１０にて支柱等へ取り付けられた状態で、前上がりの傾斜状態となり、配光レンズ部８２によって、ＬＥＤ素子７の出射光が、照明器具１の前後方向への配光が抑制されて道路の長手方向に向かう配光となる。
夜間になると照明用ＬＥＤ７が点灯発光するが、このように配光レンズ部８２によってＬＥＤ素子７の出射光が照明器具１の前後方向への配光が抑制されるけれども、ＬＥＤ素子７の出射光ができるだけインジケータ４０に当たらないようにしなければ、赤色ＬＥＤ４０Ｒと青色ＬＥＤ４０Ｂの発光状態を視認し難くなる。このために、照明用ＬＥＤ７とインジケータ４０との間に遮光壁４５を設けている。
【００５５】
遮光壁４５は、黒色板状が好ましく、放熱板９、ＬＥＤ取り付け回路基板５、インジケータ基板の何れに取り付けてもよい。遮光壁４５の下端は、透過孔２２Ａを通ってＬＥＤ透光カバー２３の内面に当接または近接する進入状態が好ましい。
なお、赤色ＬＥＤ４０Ｒと青色ＬＥＤ４０Ｂは、特別に設けたインジケータ基板ではなく、ＬＥＤ取り付け回路基板５の後部領域に取り付けるようにＬＥＤ取り付け回路基板５を構成することにより、インジケータ基板を省略できる。
【００５６】
この遮光壁４５によって、照明用ＬＥＤ７の発光のうち後方へ向かう発光光を遮る効果が発揮でき、ＬＥＤ透光カバー２３で反射され屈折する照明用ＬＥＤ７の発光がインジケータ４０に到達する割合も減少でき、インジケータ４０の夜間における視認がし易くなる。また、ＬＥＤ透光カバー２３の内面に当接または近接するよう遮光壁４５の下方への延出によって、受像部５２へ向かう照明用ＬＥＤ７の発光光を遮断または抑制できることとなり、画像のハレーションを防止することに役立たせることができる。
【００５７】
本発明では、照明器具１内の各部分の点検や部品交換等をし易くする構成となっている。
この構成を図６乃至図８に基づき説明する。本体カバー２２によって器具本体２の開口２Ａを開くために、ネジ１Ｇを外すことにより、図６〜図８に示すように本体カバー２２を器具本体２から取り外すことができ、その状態で器具本体２の開口２Ａが開く。
この状態で、ＬＥＤ取り付け回路基板７を含む発光部６とカメラ部５０は器具本体２側に残った状態で、外部記憶媒体（ＳＳＤ）６５はカメラ本体部５０Ａの後方位置で取り外し可能に開口２Ａに臨む状態で開口２Ａに対して露出する。
これによって、開口２Ａを通して、ネジ６５Ｓを外せばホルダー補助板６５ＨＡをホルダー主体６５ＨＢから取り外せるため、外部記憶媒体（ＳＳＤ）６５をホルダー６５Ｈから取り外すことができ、外部記憶媒体（ＳＳＤ）６５に収録された画像データを所定の再生機器にて再生し可視化できる。
また、器具本体２から本体カバー２２が開いたまたは取り外された状態で、照明用ＬＥＤ７を含むＬＥＤ取り付け回路基板５が開口２Ａに露出するため、アンテナ７０も開口２Ａに露出する。このため、発光部６及びアンテナ７０の点検がし易くなる。
【００５８】
また、前述のように透光性ドームカバー５１の取り外しが安全構成の場合は、本体カバー２２にて開口２Ａを開いた状態で、カメラ本体部５０Ａから透光性ドームカバー５１を取り外し、外部端末機１００の画面を見つつ内部のレンズの向きを手動操作にて所定の方向に調整し、所定の位置に調整することができる。
【００５９】
このように本体カバー２２にて開口２Ａを開いた状態で、放熱板９の後端部の取り付け部である取り付けボス２Ｂ２へのネジを外せば、図７及び図８に示すように放熱板９は、前部の係止部９Ａが取り付け板８８の支持部８８Ａを軸として下方へ回動し、放熱板９は前部が器具本体２に支えられた状態で吊り下げ状態に支持される。
このため、放熱板９の裏側（上側）のカメラ制御回路５０ＰＫが開口２Ａに露出するため、カメラ制御回路５０ＰＫの点検・交換、カメラ制御回路５０ＰＫの回路部品の交換等がし易くなる。
【００６０】
なお、放熱板９の吊り下げ状態から放熱板９を取り外す構成とする場合は、係止部９Ａが取り付け板８８の支持部８８Ａから外れるように放熱板９を持ち上げることにより放熱板９を取り外すようにする。この場合、器具本体２側の電気回路と放熱板９側の電気回路を接続する回路配線が着脱可能なコネクタで接続された構成とすれば、放熱板９を器具本体２から離れた場所へ異動可能となる。
【００６１】
商用電力９４が停電した時の照明用ＬＥＤ素子７及びカメラ制御部５０Ｐの補助電源として、通常時は商用電力９４で充電される蓄電池を器具本体２内に設け、電源回路９５の取付け基板に配置され商用電力９４が停電したことを検出する停電検出回路の動作によって、前記蓄電池からの電力によって照明用ＬＥＤ素子７及びカメラ制御部５０Ｐが動作状態を保持できるように構成できる。
【００６２】
ＧＰＳ用のアンテナ７５を備えるため、照明器具１を第５世代移動通信システム（５Ｇという）の通信機能を備えるようにして、送受信機能を持つサーバ装置が有する車両の運転に係る通信情報の通信が、ネットワーク７を介して、またはネットワークに通信可能に接続された基地局を介して車両に備える車両側通信部と行われるようにすれば、照明器具１を中継機器として利用できる。それによって、高層ビルやその他の物体による通信障害が生じる場所においても、サーバ装置が有する車両の運転に係る通信情報に係る通信が車両側通信部との間で照明器具１を中継機器として行われることになり、通信障害を回避した安定通信システムが構築できる。
この場合の通信に係る回路は、カメラ制御回路５０ＰＫが取り付けられる前記カメラ制御部基板に取り付ける構成とするか、または、専用の回路基板を器具本体２内で放熱板９か取り付け板８８に取り付ける構成とすればよい。
【符号の説明】
【００６３】
１・・・・・防犯カメラ付き屋外用照明器具
１Ａ・・・・照明部
１Ｈ・・・・本体部
２・・・・・器具本体
２Ａ・・・・開口
４・・・・・内部空間
４Ａ・・・・前部空間
４Ｂ・・・・後部空間
５・・・・・回路基板
６・・・・・発光部
７・・・・・照明用ＬＥＤ素子
８・・・・・配光ユニット
８２・・・・配光部
９・・・・・放熱板
９Ｈ・・・・平板部
９Ｈ１・・・発光部取り付け部
９Ｈ２・・・カメラ部取り付け部
２２・・・・本体カバー
２２Ａ・・・透過孔
２２Ｂ・・・通孔
２３・・・・ＬＥＤ透光カバー
４０・・・・インジケータ
４５・・・・遮光壁
５０・・・・カメラ部
５０Ａ・・・カメラ本体部
５０Ｐ・・・カメラ制御部
５１・・・・透光性ドームカバー
５２・・・・受像部
５３・・・・光学レンズ
５４・・・・ＣＭＯＳ
６０・・・・画像処理回路
６１・・・・Ａ／Ｄ変換回路
６２・・・・ビデオメモリ
６３・・・・画像データ書き込み回路
６５・・・・外部記憶媒体（ＳＳＤ）
７０・・・・アンテナ
９０・・・・制御回路
９１・・・・ＣＰＵ
９２・・・・ＲＡＭ
９３・・・・ＲＯＭ
９５・・・・電源回路
９６・・・・発光制御回路
９７・・・・照度センサ
１００・・・外部端末機
【図１】
2020140945.tif 000003
【図２】
2020140945.tif 000004
【図３】
2020140945.tif 000005
【図４】
2020140945.tif 000006
【図５】
2020140945.tif 000007
【図６】
2020140945.tif 000008
【図７】
2020140945.tif 000009
【図８】
2020140945.tif 000010
【図９】
2020140945.tif 000011